(57)【特許請求の範囲】
【請求項１】
前面を前カバーで覆われるとともに上面に開口する吸込口と前記前カバーの下方に開口する吹出口とを有して壁面に取付けられる筐体と、前記筐体内に横設されるクロスフローファンと、前記クロスフローファンの上流側に配される熱交換器と、前記吸込口と前記熱交換器との間に配されて空気中の塵埃を捕集するフィルタとを備えた空気調和機において、前記フィルタの上流側に基材シートの一面に粘着面を有した捕虫シートを配置し、前記粘着面が前記フィルタに対向することを特徴とする空気調和機。
【請求項２】
前記捕虫シートが複数の通気孔を有して前記吸込口に対向して配置されることを特徴とする請求項１に記載の空気調和機。
【請求項３】
前記捕虫シートが前記前カバーの背面に配置されることを特徴とする請求項１に記載の空気調和機。
【請求項４】
前記前カバーが開閉可能に形成され、前記前カバーを開いた際に露出する前面開口部の周縁に設けられた爪部に前記捕虫シートが係止されることを特徴とする請求項３に記載の空気調和機。
【請求項５】
前記吹出口にルーバが設けられ、
前記吹出口から吹出した気流をショートサーキットさせる蚊取りモードを備えることを特徴とする請求項１〜請求項４のいずれかに記載の空気調和機。
【請求項６】
紫外線を出射する誘引光源を備え、
前記蚊取りモード時に前記誘引光源を点灯することを特徴とする請求項５に記載の空気調和機。
【請求項７】
前記蚊取りモード時に冷凍サイクルの運転が停止されることを特徴とする請求項５又は請求項６に記載の空気調和機。
【請求項８】
請求項１〜請求項７のいずれかに記載の空気調和機と端末装置とを備えた空気調和システムにおいて、前記空気調和機が、前記捕虫シートを撮影するカメラと、前記カメラが撮影した画像を送信する送信部とを有するとともに、
前記端末装置が、前記送信部から送信された前記画像を受信する受信部と、前記画像を表示する表示部と、前記画像内の虫に対して所定の画像処理を施す画像変換部とを有することを特徴とする空気調和システム。
【発明の詳細な説明】
【技術分野】
【０００１】
本発明は空気調和機及びそれを備えた空気調和システムに関する。
【背景技術】
【０００２】
従来の空気調和機は特許文献１に開示されている。この空気調和機は壁面の天井付近に取り付けられ、筐体内部にはクロスフローファン及び冷媒管を備える熱交換器が収納されている。熱交換器はクロスフローファンの上流側を取り囲むように配置されている。【０００３】
筐体の上面には吸込口が開口し、筐体の正面下部には吹出口が開口している。また、吸込口とフィルタとの間には空気中の塵埃を捕集するフィルタが配されている。【０００４】
空調運転時、クロスフローファンの駆動により室内の空気を吸込口から吸気して熱交換器で熱交換された空気を吹出口から吹き出す。これにより、室内の空気調和を行うことができる。
【先行技術文献】
【特許文献】
【０００５】
【特許文献１】特開平２０１２−３２０７１号公報
【発明の概要】
【発明が解決しようとする課題】
【０００６】
近年、健康志向の高まりから、蚊等の虫を介した感染症を予防するために捕虫機能を備えた空気調和機が求められている。【０００７】
本発明は、捕虫機能を備えた空気調和機を提供すること目的とする。
【課題を解決するための手段】
【０００８】
上記目的を達成するために本発明は、前面を前カバーで覆われるとともに上面に開口する吸込口と前記前カバーの下方に開口する吹出口とを有して壁面に取付けられる筐体と、前記筐体内に横設されるクロスフローファンと、前記クロスフローファンの上流側に配される熱交換器と、前記吸込口と前記熱交換器との間に配されて空気中の塵埃を捕集するフィルタとを備えた空気調和機において、前記フィルタの上流側に基材シートの一面に粘着面を有した捕虫シートを配置し、前記粘着面が前記フィルタに対向することを特徴としている。【０００９】
また、本発明は上記構成の空気調和機において、前記捕虫シートが複数の通気孔を有して前記吸込口に対向して配置されることを特徴としている。【００１０】
また、本発明は上記構成の空気調和機において、前記捕虫シートが前記前カバーの背面に配置されることを特徴としている。【００１１】
また、本発明は上記構成の空気調和機において、前記捕虫シートの上端は前記吸込口の前端から５ｃｍ以内に配されることを特徴としている。【００１２】
また、本発明は上記構成の空気調和機において、前記捕虫シートの上部が前記フィルタに対して３ｃｍ以上離れて配され、前記捕虫シートの下部が前記フィルタに対して３ｃｍ以内に配されることを特徴としている。【００１３】
また、本発明は上記構成の空気調和機において、前記前カバーは上部が枢支されて下部を前後に回動可能であり、前記捕虫シートの上部が前記前カバーの背面に掛止して吊り下げられ、前記捕虫シートの下部は前記前カバーを閉じたときに前記前カバーの下部に設けられた第１リブと前記筐体に設けられた第２リブとで挟持されることを特徴としている。【００１４】
また、本発明は上記構成の空気調和機において、前記前カバーの背面には上下方向に延びる一対のレールが設けられ、前記レールにより前記捕虫シートがスライドすることを特徴としている。【００１５】
また、本発明は上記構成の空気調和機において、前記前カバーが開閉可能に形成され、前記前カバーを開いた際に露出する前面開口部の周縁に設けられた爪部に前記捕虫シートが係止されることを特徴としている。【００１６】
また、本発明は上記構成の空気調和機において、前記吹出口にルーバが設けられ、前記吹出口から吹出した気流をショートサーキットさせる蚊取りモードを備えることを特徴としている。【００１７】
また、本発明は上記構成の空気調和機において、前記前カバーは窓部を開口するとともに前記窓部を開閉する開閉板が設けられ、前記蚊取りモード時に前記窓部が開いて前記開閉板により前記吹出口から送出される気流を前記窓部に案内することを特徴としている。【００１８】
また、本発明は上記構成の空気調和機において、前記蚊取りモード時に前記熱交換器の温度を人間の体温に設定することを特徴としている。【００１９】
また、本発明は上記構成の空気調和機において、紫外線を出射する誘引光源を備え、前記蚊取りモード時に前記誘引光源を点灯することを特徴としている。【００２０】
また、本発明は上記構成の空気調和機において、前記蚊取りモード時に前記クロスフローファンが通常の空調運転時の回転数よりも高い回転数で回転することを特徴としている。【００２１】
また、本発明は上記構成の空気調和機において、前記吸込口の平均風速が０．７ｍ／ｓ以上であることを特徴としている。【００２２】
また、本発明は上記構成の空気調和機において、前記蚊取りモード時に冷凍サイクルの運転が停止されることを特徴としている。【００２３】
また、本発明は上記構成の空気調和機において、前記捕虫シートの背面が暗色に形成されていることを特徴としている。【００２４】
また、本発明は上記構成の空気調和機において、前記フィルタの前面が明色に形成されていること特徴としている。【００２５】
また、本発明は上記構成の空気調和機と端末装置とを備えた空気調和システムにおいて、前記空気調和機が、前記捕虫シートを撮影するカメラと、前記カメラが撮影した画像を送信する送信部とを有するとともに、前記端末装置が、前記送信部から送信された前記画像を受信する受信部と、前記画像を表示する表示部と、前記画像内の虫に対して所定の画像処理を施す画像変換部とを有することを特徴としている。
【発明の効果】
【００２６】
本発明の空気調和機によると、吸込口と熱交換器との間に配したフィルタの上流側に捕虫シートを配置し、捕虫シートの粘着面がフィルタに対向する。これにより、吸込口から筐体内に引き込まれた蚊等の虫を捕虫シートにより捕虫することができる。また、一旦フィルタに捕獲されてフィルタから解放された蚊もフィルタに対向する捕着シートに接触して付着する。したがって、空気調和機の捕虫性能を向上することができる。
【図面の簡単な説明】
【００２７】
【図１】本発明の第１実施形態に係る空気調和機の斜視図。
【図２】本発明の第１実施形態に係る空気調和機の正面図。
【図３】図２中のＡ−Ａ線断面図。
【図４】本発明の第１実施形態の空気調和機の捕虫シートを示す側面図。
【図５】本発明の第２実施形態に係る空気調和機の側面断面図。
【図６】本発明の第３実施形態に係る空気調和機の側面断面図。
【図７】本発明の第４実施形態の空気調和機の捕虫シートの一部を示す斜視図。
【図８】本発明の第５実施形態の空気調和機の捕虫シートの斜視図。
【図９】本発明の第６実施形態に係る空気調和機の側面断面図。
【図１０】本発明の第７実施形態に係る空気調和機の側面断面図。
【図１１】本発明の第８実施形態に係る空気調和機の前カバーの背面側を示す平面図。
【図１２】図１１中のＢ−Ｂ線断面図。
【図１３】本発明の第９実施形態に係る空気調和システムの構成を示す図。
【発明を実施するための形態】
【００２８】
＜第１実施形態＞
以下に本発明の第１実施形態を図面の参照にて説明する。図１はセパレート型の空気調和機１の斜視図であり、図２は空気調和機１の正面図である。図３は図２中のＡ−Ａ線断面図である。なお、図示しない室外機には、圧縮機、熱交換器、四方弁、絞り装置、ファンが内装されている。空気調和機１と室外機とが冷媒管によって接続され、冷凍サイクルが形成される。空気調和機１では、冷房、暖房、除湿などの空調運転が行われる。
【００２９】
空気調和機１は横長の筐体１０を備え、筐体１０の背面が壁面に取り付けられる。筐体１０の前面は前面開口部１０ａが開口しており、前面開口部１０ａは前カバー１１で覆われている。前カバー１１は上端を筐体１０に枢支されており、前カバー１１の下部を前後に回動させて前面開口部１０ａを開閉することができる。
【００３０】
筐体１０の上面は吸込口４を開口している。また、筐体１０の前カバー１１の下方には吹出口５が開口し、吹出口５には風向きを可変するルーバ１６が開閉自在に設けられている。
【００３１】
筐体１０の上面前部には誘引光源２０が設けられている。誘引光源２０は蚊等の虫を誘引する約３６５ｎｍの紫外線を出射する紫外線発光ダイオード（不図示）を有する。
【００３２】
筐体１０の内部には吸込口４から吹出口５に至る送風路６が形成される。送風路６内には熱交換器１５及びクロスフローファン２が配されている。熱交換器１５はクロスフローファン２の上流側を取り囲むように配置されている。また、吸込口４と熱交換器１５との間にはフィルタ２４が配される。フィルタ２４の上部は吸込口４に面し、下部は前カバー１１の背面に面している。
【００３３】
クロスフローファン２は回転軸を左右方向に配置して筐体１０内に横設されている。クロスフローファン２の回転軸の一端は軸受（不図示）を介して左方の支持部材（不図示）に支持される。クロスフローファン２の回転軸の他端はファンモータ（不図示）に連結される。ファンモータの回転により、室内の空気が吸込口４を介して吸い込まれ、熱交換器１５を通過して吹出口５から吹出される。
【００３４】
熱交換器１５は冷媒が流通する冷媒管３１に複数の平板状のフィン（不図示）を固着して形成されている。冷媒管は左右方向に延びて両側端でＵ字状に屈曲して蛇行し、上下方向や前後方向に並設されている。
【００３５】
前カバー１１の背面には捕虫シート１２が配される。図４は捕虫シート１２の側面図を示している。捕虫シート１２は基材シート１２ａの一面に粘着剤１２ｂを配した粘着面が形成される。基材シート１２ａを前カバー１１上に両面粘着テープにより貼着して捕虫シート１２が前カバー１１の背面に配される。そして、前カバー１１を閉じた状態において捕虫シート１２の粘着面がフィルタ２４に対向する。
【００３６】
基材シート１２ａは例えば紙や樹脂フィルム等により形成され、粘着剤１２ｂとして例えばアクリル系の粘着剤等が用いられる。
【００３７】
また、複数の捕虫シート１２をシリコン等の剥離剤（不図示）を介して積層してもよい。粘着剤１２ｂに虫が付着した使用済の捕虫シート１２は剥離して未使用の捕虫シート１２を露出させる。これにより、捕虫シート１２の交換の手間を省き、利便性を向上させることができる。
【００３８】
なお、捕虫シート１２の粘着剤１２ｂは水溶性であってもよい。水溶性の粘着剤の材質としては例えばデキストリン、ポリビニルアルコール、ポリビニルピロリドン、デンプンやアラビアゴム等が挙げられる。これらの材質は基材シート１２ａを前カバー１１から剥し、虫や塵埃等が付着した粘着剤１２ｂの表面を水等で洗い流すことができる。したがって、捕虫シート１２の交換頻度を少なくすることができる。
【００３９】
図３において、捕虫シート１２の上端と吸込口４の前端との距離Ｗ１は５ｃｍ以内に配されている。これにより、吸込口４を介して筐体１０内に進入した蚊が捕虫シート１２に接触して容易に捕獲される。また、フィルタ２４に捕獲された蚊がフィルタ２４から解放されて飛翔した際に、捕虫シート１２に接触して容易に捕獲される。
【００４０】
また、捕虫シート１２の上部はフィルタ２４に対して距離Ｗ２に配され、捕虫シート１２の下部はフィルタ２４に対して距離Ｗ３に配される。距離Ｗ２は３ｃｍ以上に形成され、距離Ｗ３は距離Ｗ２よりも狭く３ｃｍ以下に形成される。これにより、蚊等の虫を捕虫シート１２とフィルタ２４との間に容易に導くことができるとともに、下方に導かれた虫を逃がさずに確実に捕獲することができる。
【００４１】
また、捕虫シート１２及び前カバー１１の背面は黒色に形成され、フィルタ２４の前面が白色に形成されている。蚊等の虫は黒色を好むことが知られており、吸込口４から筐体１０内に流入した蚊が捕虫シート１２に誘引されて容易に捕獲される。
【００４２】
上記構成において、冷房運転が行われると、吹出口５が開いた状態でクロスフローファン２が回転して室内の空気が吸込口４から筐体１０内に吸い込まれる。筐体１０内に吸い込まれた空気に含まれる塵埃はフィルタ２４で捕集され、熱交換器１５により熱交換される。熱交換器１５は蒸発器として機能し、室内から吸い込まれた空気は熱交換器１５において冷却する。冷却された空気はクロスフローファン２を通って吹出口５から冷風が室内に吹出される。
【００４３】
一方、暖房運転が行われると、冷房運転と同様にクロスフローファン２が回転する。また、熱交換器１５が凝縮器として機能し、室内から吸い込まれた空気は熱交換器１５において加熱される。加熱された空気はクロスフローファン２を通って吹出口５から温風が室内に吹出される。
【００４４】
空気調和機１は上記の通常の空調運転時とは別に蚊取りモードを有する。蚊取りモードが実行された場合に、通常の空調運転を終了して誘引光源２０を点灯させて冷凍サイクルの運転を停止する。また、クロスフローファン２を通常の空調運転時の回転数よりも高い回転数で回転駆動する。また、ルーバ１６により吹出口５から吹出す気流を上向きに可変して吹出口５から吹出した気流をショートサーキットさせる。
【００４５】
これにより、空気調和機１の周囲に吹出口５から吹出して前カバー１１の前方を上昇し、吸込口４に流入する強い気流が発生する。これにより、空気調和機１の周囲を飛翔する蚊が気流に乗って筐体１０内に引き込まれる。筐体１０内に引き込まれた蚊は捕虫シート１２の粘着剤１２ｂに接触して付着する。また、フィルタ２４に捕獲された蚊がフィルタ２４から解放された際に、対向する捕虫シート１２の粘着剤１２ｂに接触して付着する。
【００４６】
なお、蚊取りモード時に吸込口４の平均風速が０．７ｍ／ｓ以上あることが好ましい。これにより、蚊をより筐体１０内部に引き込み易くなり、捕虫性能がより向上する。
【００４７】
また、蚊取りモード時に誘引光源２０を点灯することにより、蚊を空気調和機１の周囲に誘引することができる。
【００４８】
また、蚊取りモード時にショートサーキットさせるため室内の空気調和を十分行うことができない。このため、冷凍サイクルの運転を停止することにより、電力の浪費を低減することができる。
【００４９】
なお、蚊取りモードの時に熱交換器１５を凝縮器として機能させて、熱交換器１５を人間の体温（約３７℃）に設定してもよい。これにより、人の体温を感知して集まる習性を有する蚊を空気調和機１の周囲に誘引することができる。
【００５０】
また、筐体１０の外面を黒色に形成してもよい。これにより、黒色を好む蚊を空気調和機１の周囲に誘引することができる。
【００５１】
本実施形態によると、吸込口４と熱交換器１５との間に配したフィルタ２４の上流側に捕虫シート１２を配置し、捕虫シート１２の粘着面がフィルタ２４に対向する。これにより、吸込口４から筐体１０内に引き込まれた蚊等の虫を捕虫シート１２により捕虫することができる。また、一旦フィルタ２４に捕獲されてフィルタ２４から解放された蚊もフィルタ２４に対向する捕虫シート１２に接触して付着する。したがって、空気調和機１の捕虫性能を向上することができる。
【００５２】
また、捕虫シート１２が前カバー１１の背面に配置されることにより、吸込口４とフィルタ２４との間を飛翔する蚊が捕虫シート１２に接触して容易に付着する。
【００５３】
また、捕虫シート１２の上端と吸込口４の前端との距離Ｗ１が５ｃｍ以内に配されている。これにより、吸込口４を介して筐体１０内に進入した蚊が捕虫シート１２に接触して容易に捕獲される。また、一旦フィルタ２４に捕集されてフィルタ２４から解放された蚊が吸込口４へ向かって飛翔した際に、捕虫シート１２に接触して容易に付着する。
【００５４】
また、捕虫シート１２の上部がフィルタ２４に対して３ｃｍ以上離れて配され、捕虫シート１２下部はフィルタ２４に対して３ｃｍ以内に配される。これにより、蚊等の虫を捕虫シート１２とフィルタ２４との間に容易に導くことができるとともに、下方に導かれた虫を逃がさずに確実に捕獲することができる。
【００５５】
また、吹出口５にルーバ１６が設けられ、吹出口５から吹出した気流をショートサーキットさせる蚊取りモードを備える。これにより、蚊取りモード時に空気調和機１の周囲を飛翔する蚊をショートサーキットにより発生する気流に乗せて筐体１０内に引き込むことができる。筐体１０内に引き込まれた蚊は捕虫シート１２に接触して容易に付着する。
【００５６】
また、蚊取りモード時にクロスフローファン２を通常の空調運転時の回転数よりも高い回転数で回転駆動し、吸込口４の平均風速を０．７ｍ／ｓ以上にする。これにより、吸込口４を介して蚊を筐体１０内により引き込み易くなり、空気調和機１の捕虫性能がより向上する。
【００５７】
また、蚊取りモード時に誘引光源２０を点灯することにより、紫外線を感知して集まる習性を有する蚊を空気調和機１の周囲に誘引することができる。これにより、空気調和機１の捕虫性能をより向上させることできる。
【００５８】
また、蚊取りモード時に熱交換器１５の温度を人間の体温に設定することにより、人間の体温を感知して集まる習性を有する蚊を空気調和機１の周囲に誘引することができる。これにより、空気調和機１の捕虫性能をより向上させることできる。
【００５９】
また、蚊取りモード時に冷凍サイクルの運転を停止することにより、電力の浪費を低減することができる。
【００６０】
また、捕虫シート１２の背面を暗色に形成し、フィルタ２４の前面を明色に形成することにより、吸込口４から筐体１０内に流入した蚊を捕虫シート１２に誘引して容易に捕獲することができる。
【００６１】
なお、本実施形態において、筐体１０の外面及び捕虫シート１２を黒色に形成しているが暗色であればよく、例えば濃紺や濃い茶色に形成してもよい。この場合でも、虫を筐体１０や捕虫シート１２に容易に誘引することができる。また、フィルタ２４を白色に形成しているが明色であればよく、例えば明灰色に形成してもよい。
【００６２】
また、蚊取りモードを通常の空調運転時に実行してもよい。
【００６３】
＜第２実施形態＞
図５は第２実施形態に係る空気調和機１の側面断面図である。なお、第１実施形態と同一部分は同一符号を付して説明を省略する。第１実施形態に対して第２実施形態は前カバー１１の一部に窓部１１ｂが開口し、窓部１１ｂを開閉する開閉板１１ａが設けられている。その他の部分は第１実施形態と同様である。
【００６４】
窓部１１ｂは左右方向に延びるスリット状に形成されており、上下方向に複数並設されている。開閉板１１ａは上端を枢支されており、開閉板１１ａの下部を前後に回動して窓部１１ｂを開閉することができる。また、捕虫シート１２には窓部１１ｂに対向する通気孔１２ｃが設けられている。
【００６５】
本実施形態によると、蚊取りモードの実行時に開閉板１１ａの下部が前方に回動して窓部１１ｂが開口する。これにより、吹出口５から吹出して前カバー１１の前方を上昇する気流が開閉板１１ａによって窓部１１ｂに案内される。これにより、ショートサーキットを確実に発生させることができる。空気調和機１の前方を飛翔する蚊は気流に乗って窓部１１ｂから筐体１０内に引き込まれ、捕虫シート１２に接触して付着する。したがって、室内を飛翔する蚊を容易に捕獲することができる。
【００６６】
＜第３実施形態＞
図６は第３実施形態に係る空気調和機１の側面断面図である。なお、第１実施形態と同一部分は同一符号を付して説明を省略する。第１実施形態に対して第３実施形態は複数の通気孔１２ｃを有する捕虫シート１２が吸込口４に対向して配置されている。その他の部分は第１実施形態と同様である。
【００６７】
筐体１０の内部に引き込まれた蚊は、吸込口４から筐体１０の外部へ逃げようとした時に捕虫シート１２に接触して付着する。これにより、空気調和機１の捕虫性能をより向上させることできる。
【００６８】
なお、通気孔１２ｃを網目状に配することにより捕虫性能をより向上させることできる。
【００６９】
＜第４実施形態＞
図７は第４実施形態に係る空気調和機１の捕虫シート１２の斜視図である。なお、第３実施形態と同一部分は同一符号を付して説明を省略する。第３実施形態に対して第４実施形態は通気孔１２ｃの周縁に突出片１２ｄが連設されている。その他の部分は第３実施形態と同様である。
【００７０】
突出片１２ｄは捕虫シート１２を切り起こして成形され、突出片１２ｄを筐体１０の内側に起立する。これにより、通気孔１２ｃを有する捕虫シート１２の粘着面の表面積を大きくすることができる。このため、通気孔１２ｃから筐体１０外部へ逃げようとする蚊が突出片１２ｄに接触してより容易に付着する。したがって、空気調和機１の捕虫性能をより向上させることできる。
【００７１】
＜第５実施形態＞
図８は第５実施形態に係る空気調和機１の捕虫シート１２の斜視図である。なお、第３実施形態と同一部分は同一符号を付して説明を省略する。第３実施形態に対して第５実施形態は捕虫シート１２が蛇腹状に折り畳まれて斜面１２ｅが形成され、斜面１２ｅに通気孔１２ｃが配されている。その他の部分は第３実施形態と同様である。
【００７２】
捕虫シート１２を蛇腹状に折り畳むことにより斜面１２ｅが形成され、粘着面の表面積を大きくすることができる。このため、通気孔１２ｃから筐体１０外部へ逃げようとする蚊は斜面１２ｅに接触してより容易に付着する。これにより、空気調和機１の捕虫性能をより向上させることできる。
【００７３】
＜第６実施形態＞
図９は第６実施形態に係る空気調和機１の側面断面図である。なお、第１実施形態と同一部分は同一符号を付して説明を省略する。第１実施形態に対して第６実施形態は捕虫シート１２の上部が前カバー１２の背面に掛止して吊り下げられている。その他の部分は第１実施形態と同様である。
【００７４】
捕虫シート１２は上部に貫通孔１２ｆが開口し、前カバー１１の背面には後方に突出するフック１４が設けられている。貫通孔１２ｆにフック１４を挿入して捕虫シート１２が前カバー１２の背面に掛止される。
【００７５】
また、前カバー１１の背面下部には後方に突出する第１リブ１３ａが設けられ、筐体１０の下部には第１リブ１３ａに対向する第２リブ１３ｂが設けられている。
【００７６】
前カバー１１を閉じた状態において、第１リブ１３ａ及び第２リブ１３ｂが捕虫シート１２の下部に形成された非粘着領域を挟持する。これにより、蚊取りモード時に捕虫シート１２の下部が気流で移動や揺れるのを防止することができる。
【００７７】
一方、前カバー１１を開いた状態において、捕虫シート１２は吊り下げられた状態で垂下する。このため、捕虫シート１２を容易に交換することができ、空気調和機１の利便性が向上する。
【００７８】
＜第７実施形態＞
図１０は第７実施形態に係る空気調和機１の側面断面図である。なお、第１実施形態と同一部分は同一符号を付して説明を省略する。第１実施形態に対して第７実施形態は捕虫シート１２が前面開口部１０ａの周縁に設けられた爪部１７に係止される。その他の部分は第１実施形態と同様である。
【００７９】
爪部１７は前面開口部１０ａの周縁上部及び周縁下部に設けられている。爪部１７により捕虫シート１２の周縁が係止される。この時、捕虫シート１２が撓まないように基材シート１２ａを高剛性の板状に形成することがより好ましい。
【００８０】
捕虫シート１２を前面開口部１０ａの周縁の爪部１７で係止することにより、前カバー１１を開いた状態において、空気調和機１の正面に向かって捕虫シート１２の交換作業を行うことができ、空気調和機１の利便性が向上する。
【００８１】
＜第８実施形態＞
図１１は第８実施形態に係る空気調和機１の前カバー１１の背面側を示す平面図であり、図１２は図１１中のＢ−Ｂ線断面図である。なお、第１実施形態と同一部分は同一符号を付して説明を省略する。第１実施形態に対して第８実施形態は捕虫シート１２が前カバー１１にスライドして取り付けられる。その他の部分は第１実施形態と同様である。
【００８２】
前カバー１１の背面には上下方向に延びる一対のレール１８が設けられ、レール１８は側面に断面コ字状の溝部１８ａが形成されている。捕虫シート１２は基材シート１２ａの両端を溝部１８ａに摺動させながらスライドして嵌合する。
【００８３】
これにより、前カバー１１を開いた状態において、捕虫シート１２を上下にスライドさせて前カバー１１から脱着することができる。したがって、捕虫シート１２を容易に交換することができ、空気調和機１の利便性が向上する。
【００８４】
＜第９実施形態＞
図１３は第９実施形態に係る空気調和システム１００の構成を示す図である。空気調和システム１００は端末装置６０及び空気調和機１で構成される。空気調和機１は各部を制御するＣＰＵから成る制御部４０を有している。制御部４０にはカメラ４１、記憶部４２、送信部４３が接続される。
【００８５】
なお、図示しないが制御部４０には室外機に内装される圧縮機、四方弁、ファンが接続されており、制御部４０はこれらを制御して空気調和機１の冷房運転及び暖房運転を行う。
【００８６】
カメラ４１は捕虫シート１２の粘着面を撮影し、ＣＣＤカメラや赤外線カメラが用いられる。
【００８７】
記憶部４２はＲＯＭ及びＲＡＭから成り、空気調和機１の複数の運転モードの制御プログラムを格納するとともに制御部４０の演算結果を一時記憶する。また、カメラ４１で撮影した画像データを記憶する。
【００８８】
送信部４３は通信網５０を介して端末装置６０に接続され、端末装置６０にカメラ４１が撮影した画像を送信する。通信網５０は複数のネットワークを相互接続して構築された広域通信網である。通信網５０として具体的に、３Ｇ（3rd  Generation）ネットワーク、４Ｇ（4rd  Generation）ネットワーク、ＷｉＦｉ（Wireless  Fidelity）等を介したインターネット網を用いることができる。
【００８９】
端末装置６０は携帯電話機等の携帯端末であり、端末装置６０は各部を制御するＣＰＵから成る制御部６１を有している。制御部６１には受信部６２、表示部６３及び記憶部６４が接続される。
【００９０】
記憶部６４は受信部６２により受信した画像データが保存される。また、記憶部６４には受信部６２により受信した画像を変換するソフトウェアから成る画像変換部６５を保存する。画像変換部６５は受信部６２が受信した画像内の虫に対して所定の画像処理を施す。画像処理が施された画像データは記憶部６４に保存される。画像変換部６５による画像処理として、虫に施されるモザイク処理やぼかし処理、赤外線カメラで撮影された虫の色分けによる強調表示等が挙げられる。
【００９１】
表示部６３は画像変換部６５により画像処理が施された画像を表示する。このとき、使用者は表示部６３に表示された画像に基づいて捕虫シート１２の交換時期を容易に確認することができる。したがって、空気調和機１の利便性が向上する。
【００９２】
また、蚊に対してモザイク処理やぼかし処理が施されると、表示部６３の画像を視認する使用者が不快に感じるのを防止することができる。また、虫の色分けによる強調表示が施されると、捕虫シート１２の状態を容易に確認することができる。
【００９３】
本実施形態によると、端末装置６０が送信部４３から送信した画像を受信する受信部６２及び画像の表示部６３を備えるため、捕虫シート１２の交換時期を容易に確認することができる。また、端末装置６０が画像変換部６５を備えるので、不快感の防止や視認性の向上を図り、空気調和システムの利便性を向上することができる。
【００９４】
なお、空気調和機１に画像変換部６５を設け、所定の画像処理を施した画像を送信部４３から送信してもよい。この時、端末装置６０は受信部６２で受信した画像を表示部６３で表示する。
【産業上の利用可能性】
【００９５】
本発明は壁面に取り付けられる空気調和機に利用可能である。
【符号の説明】
【００９６】
１          空気調和機
２          クロスフローファン
４          吸込口
５          吹出口
１０        筐体
１０ａ      前面開口部
１１        前カバー
１１ａ      開閉版
１１ｂ      窓部
１２        捕虫シート
１２ａ      基材シート
１２ｂ      粘着剤
１２ｃ      通気孔
１２ｄ      突出片
１２ｅ      斜面
１２ｆ      貫通孔
１３ａ      第１リブ
１３ｂ      第２リブ
１４        フック
１５        熱交換器
１６        ルーバ
１７        爪部
１８        レール
１８ａ      溝部
２０        誘引光源
２４        フィルタ
３１        冷媒管
４０        制御部
４１        カメラ
４２        記憶部
４３        送信部
５０        通信網
６０        端末装置
６１        制御部
６１ａ      変換部
６２        受信部
６３        表示部
６４        記憶部
６５        画像変換部
１００      空気調和システム
Ｗ１        距離
Ｗ２        距離
Ｗ３        距離
【図１】
0006786620.tif 000002
【図２】
0006786620.tif 000003
【図３】
0006786620.tif 000004
【図４】
0006786620.tif 000005
【図５】
0006786620.tif 000006
【図６】
0006786620.tif 000007
【図７】
0006786620.tif 000008
【図８】
0006786620.tif 000009
【図９】
0006786620.tif 000010
【図１０】
0006786620.tif 000011
【図１１】
0006786620.tif 000012
【図１２】
0006786620.tif 000013
【図１３】
0006786620.tif 000014